(57)【要約】      （修正有）【課題】おしぼりが提供される会食の場において、サプライズによる特別感を演出できると共に、心のこもったメッセージを贈ることが可能な、おしぼり収納器を提供する。【解決手段】おしぼりを収納する収納部１０と、例えば収納部１０の内部に配置されるカード部２０を備えたおしぼり収納器１である。カード部１０には、贈り主から受取人に伝える文字によるメッセージ、及び／又は、電磁的方法によるメッセージにアクセスするための情報（二次元コード２１）が表示されている。受取人は、スマートフォンなどを使用して二次元コード２１を読み取り、電磁的方法によるメッセージにアクセスして贈り主が作成したビデオメッセージを視聴する。【選択図】図１
0003232622.tif 000002
【実用新案登録請求の範囲】
【請求項１】
おしぼりを収納する収納部と、
前記収納部または前記収納部を覆う蓋の所要位置に配置され、贈り主から受取人に伝える文字によるメッセージ、及び／又は、電磁的方法によるメッセージにアクセスするための情報が表示されているカード部と、
を備えた、おしぼり収納器。
【請求項２】
前記情報は、ＵＲＬであって、ＱＲコード（登録商標）によってコード化されている、請求項１に記載のおしぼり収納器。
【請求項３】
前記収納部に、前記カード部を挿入するための挿入部が設けられている、請求項１又は２に記載のおしぼり収納器。
【考案の詳細な説明】
【技術分野】
【０００１】
本考案は、おしぼり収納器に関するものである。
【背景技術】
【０００２】
飲食店では、オーダーした商品が配膳される前に、店側から顧客に対し、図８に示すような、おしぼり１０１が提供されている。その際、おしぼり１０１を載せる器として、おしぼり皿１０２が多く使用されている。
【０００３】
また、飲食店で見掛けることは殆どないが、おしぼりを収納する器としては、種々の形状のおしぼりケース（特許文献１）や、おしぼり入れ（特許文献２）が、これまでに提案されている。これらのおしぼり皿、おしぼりケース、おしぼり入れは、おしぼりを載置又は収納する目的でのみ使用されるものである。
【先行技術文献】
【特許文献】
【０００４】
【特許文献１】実開昭５５−１４３７９６号公報
【特許文献２】実開昭５９−２３３９３号公報
【考案の概要】
【考案が解決しようとする課題】
【０００５】
ところで、誕生日のお祝い、就職祝い、退職祝い、長寿祝いなどの宴席の場では、お祝いをする側の立場の人から、お祝いを受ける側の立場の人に対し、メッセージが贈られることが多い。また、お祝い事に限らず、食事の席で大切な人に何らかのメッセージを伝えることがある。
【０００６】
贈り主から受取人に伝えるメッセージは、手紙、カード、色紙などに記載された文字によるメッセージが用いられることもあれば、昨今ではスマートフォンなどの携帯端末が広く普及していることから、音声ファイル、画像ファイル、動画ファイルなどによってデータ化された電磁的方法によるメッセージを作成し、受取人に視聴してもらう方法が用いられることもある。
【０００７】
しかしながら、従来のおしぼり皿等は、会食の席に置かれる必須のアイテムでありながら、贈り主から受取人に伝えるメッセージを伝達する手段として活用されることは皆無であった。
【０００８】
本考案は、おしぼりが提供される会食の場において、サプライズによる特別感を演出できると共に、心のこもったメッセージを贈ることが可能な、おしぼり収納器を提供することを目的としている。
【課題を解決するための手段】
【０００９】
本考案は、
おしぼりを収納する収納部と、
前記収納部または前記収納部を覆う蓋の所要位置に配置され、贈り主から受取人に伝える文字によるメッセージ、及び／又は、電磁的方法によるメッセージにアクセスするための情報が表示されているカード部と、
を備えた、おしぼり収納器である。
【００１０】
本考案は、前記情報は、ＵＲＬであって、ＱＲコード（登録商標）によってコード化されていてもよい。
【００１１】
本考案は、前記収納部に、前記カード部を挿入するための挿入部が設けられていてもよい。
【考案の効果】
【００１２】
本考案のおしぼり収納器は、おしぼりを収納する役割を果たす収納部を有するのみならず、贈り主から受取人に伝える文字によるメッセージ、及び／又は、電磁的方法によるメッセージにアクセスするための情報が表示されているカード部を備えている。
【００１３】
そのため、本考案では、受取人がカード部を目にした段階でサプライズによる特別感を演出できると共に、文字によるメッセージを読むか、あるいは、電磁的方法によるメッセージを視聴することで、贈り主から受取人に対し、心のこもったメッセージを贈ることが可能となる。
【図面の簡単な説明】
【００１４】
【図１】図１は、実施形態に係るおしぼり収納器について、収納部、カード部、蓋の構成を示す斜視図である。
【図２】図２は、蓋を閉じた状態のおしぼり収納器の図である。
【図３】図３は、カード部に表示されたＱＲコード（登録商標）の情報をスマートフォンで読み取っている様子を示す図である。
【図４】図４は、カード部のバリエーションを示す図であり、（ａ）は文字によるメッセージと電磁的方法によるメッセージを両方用いる例を表し、（ｂ）は電磁的方法によるメッセージのみを用いる例を表し、（ｃ）は文字によるメッセージのみを用いる例を表す。
【図５】図５は、皮膜が施されたカード部を用いる例を示す図であり、（ａ）は斜視図であり、（ｂ）は縦断面図である。
【図６】図６は、収納部に挿入部を設ける一例を示す図であり、（ａ）は収納部のみの斜視図であり、（ｂ）はカード部を挿入した状態の斜視図であり、（ｃ）は縦断面図である。
【図７】図７は、収納部に挿入部を設ける他の例を示す図であり、（ａ）は収納部のみの斜視図であり、（ｂ）はカード部を挿入した状態の斜視図である。
【図８】図８は、従来のおしぼり皿を示す図である。
【考案を実施するための形態】
【００１５】
以下、図面を参照しながら、本考案の実施形態を詳細に説明する。なお、以下の実施形態は、本考案の一例であって、本考案、その適用物、その用途の範囲を制限することを意図するものではない。
【００１６】
［基本構成］
図１に示すように、本実施形態のおしぼり収納器１は、直方体状の木製の箱体からなる収納部１０と、この収納部１０の内部に配置されるカード部２０と、収納部１０に被せることによりその側面及び上方を覆う木製の蓋３０とで構成される。カード部２０は、長方形の紙片をＬ字状に折り曲げた形状である。
【００１７】
収納部１０は、板材により有底で左右側面及び前後側面が形成されており、内部におしぼりＡを収納可能な収納スペース１１を有する。Ｂは、おしぼりＡに刺繍された「〇〇寿司」等の店舗名のロゴである。カード部２０の表側の上面には、電磁的方法によるメッセージにアクセスするための情報としてＵＲＬをコード化したＱＲコード（登録商標）２１が表示されている。
【００１８】
本実施形態では、ＱＲコード（登録商標）２１が表示されたカード部２０は、メッセージ付きおしぼりのサービスを提供する事業者が、贈り主から依頼を受けて作成する。事業者は会食が行われる店舗と提携しており、作成したカード部２０を、おしぼりＡ、収納部１０、蓋３０と共に店舗に送付する。本実施形態のビジネスモデルにおけるカード部２０の作成方法の一例は下記のとおりである。
【００１９】
贈り主は、カメラやマイクを備えたＩＴ機器を使用して電磁的方法によるメッセージのデータを作成する。本考案では、メッセージの内容は問わず、贈り主から受取人へ宛てた任意のメッセージを取り扱うことができる。メッセージは音声メッセージでもよいが、写真等の静止画像や動画も含むビデオメッセージにすれば、例えば幼稚園に入学した孫が贈り主である場合、声と共に元気な表情やしばらく見ない間に成長した姿も受取人（例えば祖父や祖母）に見てもらうことができるので好適である。贈り主は完成したメッセージのデータを、メッセージ付きおしぼりのサービスを提供する事業者に送付する。
【００２０】
事業者は、贈り主から送付されたメッセージを動画サイトにアップロードする。また、アプリケーションを使用して、アップロードしたウェブサイトのＵＲＬをコード化したＱＲコード（登録商標）２１を作成する。そして、作成したＱＲコード（登録商標）２１をカード部２０に印刷してカード部２０を製作する。
【００２１】
なお、事業者は、贈り主から送付されたメッセージを特定のサイトにアップロードする作業のみを行い、ＱＲコード（登録商標）２１が印刷されたカード部２０の製造は、かかるサービスを専門としている別の事業者に委託することもできる。
【００２２】
会食当日、事業者と提携している店舗は、贈り主及び受取人がいるテーブルの配膳の際に、図２に示すように蓋３０を閉じた状態で、おしぼり収納器１をテーブルの上に置くようにする。そして、蓋３０が開けられたときに、初めてＱＲコード（登録商標）２１が受取人の目に留まるようし、サプライズによる特別感が得られるようにする。かかる効果を発揮するためには、ＱＲコード（登録商標）２１が表示されている面は、極力目立つ方がよく、本実施形態のように、カード部２０の裏側ではなく表側の上面に表示されていることが好ましい。
【００２３】
その後、受取人が、贈り主から説明を受けて促され、図３に示すようにカード部２０に表示されたＱＲコード（登録商標）２１をスマートフォンＳで撮像すると、スマートフォンＳのブラウザアプリがＵＲＬを認識し、そのＵＲＬのサイトにアクセスし、贈り主が作成したビデオメッセージのデータを受信する。このようにして受取人は、長い文字列からなるＵＲＬをソフトウェアキーボードから入力することなく、贈り主が作成したビデオメッセージを容易に視聴して楽しむことができる。
【００２４】
なお、図２、図３から理解されるとおり、おしぼり収納器１がテーブルの上に置かれたときに、最初からカード部２０が見えていたのでは、ネタバレになってしまうおそれがある。蓋３０は、従来のおしぼり皿よりも見栄えが良く高級感が得られるという視覚上の効果と共に、演出効果を高める効果がある。
【００２５】
［カード部の変形例］
本考案のカード部２０は、表面のみならず裏面も利用することで種々の実施形態が可能である。例えば、図４（ａ）に示すカード部２０のように、カード部２０の表面にはスマートフォンＳを使ってビデオメッセージを視聴してもらうためのＱＲコード（登録商標）２１を表示すると共に、カード部２０の裏面には「お誕生日おめでとう」等の文字によるメッセージを表示してもよい。
【００２６】
また、例えば息子の家族と娘の家族があり、それぞれからお祝いのメッセージがあるようなケースでは、図４（ｂ）に示すように、カード部２０の表面及び裏面にＱＲコード（登録商標）２１を表示して、それぞれの家族のビデオメッセージを視聴できるようにしてもよい。
【００２７】
また、図４（ｃ）に示すように、表面には「喜寿おめでとう」等の定型的な印刷された文字を表示すると共に、裏面には、贈り主の直筆のメッセージを記入できるようにしてもよい。
【００２８】
また、本考案のカード部２０は、水分を含むおしぼりＡと接触する場所に配置されるので、撥水性を高めるために、図５に示すように、カード部２０の表面及び／又は裏面に、例えばラミネート加工による皮膜２３を施してもよい。これによりカード部２０の状態を長く良好に保つことができる。
【００２９】
［収納部の変形例］
本考案では、カード部２０の幅２０ａは、収納部１０の収納スペース１１における幅方向の長さ１１ａに合わせ、抜き差し可能な程度の余裕を持たせて幅を揃えておくことが好ましい。その上で、図５（ｂ）に示すように、カード部２０の折り曲げ片の一方（ＱＲコード（登録商標）２１が表示されていない部分）が収納部１０の長手方向の一端に接するようにすれば、カード部２０を安定して配置できる。
【００３０】
また、本考案では、図６に示すように、収納部１０の長手方向の一端に紙片を挿入可能な程度の隙間を空けて仕切り板１２を設けることで、カード部２０を挿入するための挿入部１３を設けることもできる。この挿入部１３に、カード部２０の折り曲げ片の一方を差し込めば、カード部２０は、より一層安定して配置できる。また、挿入部１３に差し込んだ部分は、水分を含むおしぼりＡとの接触を避けることができる。
【００３１】
挿入部１３は、仕切り板１２を設ける位置をやや中央寄りにして隙間を広めに確保すれば、贈り主から受取人へのプレゼントを入れるスペースとしても利用できる。プレゼントは例えば婚約指輪でもよく、この場合、カード部２０に表示するメッセージ、あるいは、カード部２０を用いて受取人に視聴してもらうビデオメッセージは、プロポーズの言葉とすることが想定される。
【００３２】
本考案は上記の例に限らず、各請求項に記載された技術的思想の範疇であれば、適宜実施の形態を変更しても良いことは言うまでもない。
【００３３】
例えば、上述の実施形態では、紙製のカード部を示したが、カード部の材質はこれに限らず、樹脂製など、所望の素材を用いることができる。
【００３４】
また、カード部の形状や位置も、上述の実施形態に限定されない。カード部は、収納部または蓋の所要位置に配置すればよく、例えば平坦な紙片からなるカード部を、おしぼりの上に配置してもよいし、蓋の裏側の面に貼着してもよい。
【００３５】
また、カード部にＱＲコード（登録商標）を表示させる方法は、直接プリントする方法に限らず、ＱＲコード（登録商標）をプリントしたシールをカード部に貼着する方法でもよい。また、ＱＲコード（登録商標）やメッセージを表示する位置は任意であり、上述の実施形態に限定されない。
【００３６】
本考案にいう「贈り主」と「受取人」は、自然人に限らず、法人であってもよい。店舗を経営している個人事業主も含まれることは、いうまでもない。
【００３７】
本考案において挿入部は必須の構成ではないが、これを設ける場合、その位置や形状は上述の実施形態で示したものに限らない。また、カード部を配置する位置や配置の向きも任意に決めることができる。例えば、図７に示すように、カード部２０を横向きに配置する場合は、収納部１０の側面の内側に、短冊状の凸部１４を設けることで、挿入部１３を形成すればよい。
【符号の説明】
【００３８】
１  おしぼり収納器
１０  収納部
１１  収納スペース
１２  仕切り板
１３  挿入部
１４  凸部
２０  カード部
２１  ＱＲコード（登録商標）
２２  文字によるメッセージ
２３  皮膜
３０  蓋
Ａ  おしぼり
Ｓ  スマートフォン
【図１】
0003232622.tif 000003
【図２】
0003232622.tif 000004
【図３】
0003232622.tif 000005
【図４】
0003232622.tif 000006
【図５】
0003232622.tif 000007
【図６】
0003232622.tif 000008
【図７】
0003232622.tif 000009
【図８】
0003232622.tif 000010
【手続補正書】
【提出日】令和3年3月31日(2021.3.31)
【手続補正１】
【補正対象書類名】実用新案登録請求の範囲
【補正対象項目名】全文
【補正方法】変更
【補正の内容】
【実用新案登録請求の範囲】
【請求項１】
おしぼりを収納する収納部と、
前記収納部または前記収納部を覆う蓋の所要位置に配置され、贈り主から受取人に伝える文字によるメッセージ、及び／又は、電磁的方法によるメッセージにアクセスするための情報が表示されているカード部と、
を備えた、おしぼり収納器。
【請求項２】
前記情報は、ＵＲＬであって、２次元コードによってコード化されている、請求項１に記載のおしぼり収納器。
【請求項３】
前記収納部に、前記カード部を挿入するための挿入部が設けられている、請求項１又は２に記載のおしぼり収納器。
【手続補正２】
【補正対象書類名】明細書
【補正対象項目名】００１０
【補正方法】変更
【補正の内容】
【００１０】
本考案は、前記情報は、ＵＲＬであって、２次元コードによってコード化されていてもよい。
【手続補正３】
【補正対象書類名】明細書
【補正対象項目名】００１７
【補正方法】変更
【補正の内容】
【００１７】
収納部１０は、板材により有底で左右側面及び前後側面が形成されており、内部におしぼりＡを収納可能な収納スペース１１を有する。Ｂは、おしぼりＡに刺繍された「〇〇寿司」等の店舗名のロゴである。カード部２０の表側の上面には、電磁的方法によるメッセージにアクセスするための情報としてＵＲＬをコード化したＱＲコード（登録商標）２１が表示されている。なお、ＱＲコード（登録商標）２１は、２次元コードに相当するものである。